(57)【特許請求の範囲】
【請求項１】
流入部から流出部へ通流するガスを計測する計測部を備えたガスメータの操作部位への特定操作を防止するガスメータ用保護カバー器具であって、
前記ガスメータの側部に対向する一対の側面と、前記ガスメータの頂部に対向する天面と、前記ガスメータの表示部が設けられる前面に対向する前面とを有するカバー本体と、
前記ガスメータの後面に対向する状態で、前記カバー本体に着脱自在な裏蓋と、
前記カバー本体に対して前記裏蓋が正常な装着姿勢である正常装着姿勢に位置している場合に、前記裏蓋と前記カバー本体とが施錠されていない非施錠状態から施錠されている施錠状態への移行を許容し、前記カバー本体に対して前記裏蓋が前記正常装着姿勢でない非正常装着姿勢にある場合に、前記非施錠状態から前記施錠状態への移行を禁止するロック機構を備え、
前記ロック機構は、前記裏蓋の内面に沿う沿線方向に延びる受口を形成する受部を前記裏蓋に備えると共に、前記正常装着姿勢において前記施錠状態にあるときに、前記沿線方向に沿って延びる爪部を前記カバー本体に備え、前記正常装着姿勢において、爪部が受口に嵌入して係止する形態で前記施錠状態とするガスメータ用保護カバー器具。
【請求項２】
前記裏蓋は、平面状の内面である平面状内面を有しており、
前記受部は、前記平面状内面に固定される脚部位と、前記脚部位に支持されると共に前記平面状内面に沿う前記沿線方向に延びる延設部位とを、前記裏蓋の前記平面状内面と前記延設部位との間に前記受口を形成する状態で備え、
前記爪部は、前記正常装着姿勢にある場合で、前記非施錠状態と前記施錠状態との間で状態変更するときに、前記平面状内面と前記延設部位とに沿って移動する形態で、前記受部の前記受口に対して嵌入及び脱離すると共に、前記非正常装着姿勢にある場合で、前記非施錠状態と前記施錠状態との間で状態変更するときに、前記延設部位に当接するように、回転移動自在に構成されている請求項１に記載のガスメータ用保護カバー器具。
【請求項３】
前記延設部位には、前記非施錠状態から前記施錠状態へ移行するときの前記爪部の嵌入側の端部に、前記爪部の前記受口への嵌入を案内する案内部位が設けられ、当該案内部位と前記平面状内面との間の距離は、前記平面状内面と前記延設部位との間の距離より大きく設定される請求項２に記載のガスメータ用保護カバー器具。
【請求項４】
前記ロック機構は、
鍵の挿入及び回転操作に伴って回転する回転部と、当該回転部の回転に伴って回転する前記爪部とを、前記カバー本体の前記側面に備え、
前記爪部は、前記側面の直交方向に沿う回転軸回りで回転自在に構成されている請求項１〜３の何れか一項に記載のガスメータ用保護カバー器具。
【請求項５】
前記ロック機構は、前記回転部と前記爪部との固定部位を備えると共に、前記施錠状態において前記固定部位の前記天面側及び前記天面と逆側を覆い保護する外囲保護部を備える請求項４に記載のガスメータ保護カバー器具。
【発明の詳細な説明】
【技術分野】
【０００１】
本発明は、ガス流入部からガス流出部へ通流するガスを計量する計量部を備えたガスメータの操作部位への特定操作を防止するガスメータ用保護カバー器具に関する。
【背景技術】
【０００２】
通常、ガス供給業者が需要家へ都市ガス等のガスを供給するためのガス配管には、その需要家に供給されたガスを計量するためのガスメータが取り付けられている（例えば、特許文献１を参照）。
当該ガスメータは、一般的に、ガスメータ本体の上部に形成されたガス流入部及びガス流出部の夫々が、ユニオン式管継手によりガス配管の一次側及び二次側に夫々接続された状態で備えられると共に、ガスメータ本体の内部にガス流入部から流入しガス流出部から流出するガスを計量する計量部を備えている。当該構成により、計量部にて計量したガスの計量結果として、ガスの積算流量を、ガスメータ本体の前方部に設けられたメータ表示部に表示するように構成されており、ガス供給業者は、その表示部に表示される積算流量から算出したガス料金を需要家に課金する。
このようなガスメータのガスメータ本体の内部には、上述した計量部以外に、ガスの流通を遮断可能な遮断弁や、特定の作動位置への磁界の付加により作動する磁気スイッチとしてのリードスイッチ、そのリードスイッチの作動に伴って遮断弁を制御するマイクロコンピュータからなる制御部等が設けられている。当該制御部は、磁界が特定の作動位置に付加されてリードスイッチが作動したときに、遮断弁の状態を開栓状態と閉栓状態との間で切り換える形態で制御するように構成されている。当該構成により、上述のガスメータは、磁石を特定の作動位置へ近づけてリードスイッチを作動させるという操作が行われることを条件として、需要家へのガスの供給を休止させる休止操作や、需要家へのガスの供給を復帰させる復帰操作等を行うように構成されている。
【０００３】
以上のようなガスメータにあっては、例えば、ガス料金の支払いが滞っている需要者に対するガスの供給を一時的に休止するべく、上述した特定の作動位置へ磁石を近づけて、リードスイッチを作動させ、需要家へのガスの供給を休止する休止操作が行われる場合がある。
【０００４】
このように休止操作が行われた場合において、上述したガスメータにあっては、需要家によりユニオン式管継手が操作され、休止操作されたガスメータが取り外されると共に、ガス配管の一次側と二次側とを直結する形態で、ガスが不正に利用される場合があった。
また、通常、上述した特定の作動位置は外部から視認することはできない構成になっていると共に、上述の休止操作や復帰操作の方法についてはガス供給業者以外が知り得ることはない。しかしながら、何らかの方法にて、特定の作動位置、及び休止操作や復帰操作の方法を知った需要家により、市販の磁石を用いて、上述の休止操作されたガスメータの復帰操作を行って、ガスが盗用される場合があった。
【０００５】
このような不正利用を防止するべく、特許文献１に示すように、ガスメータ本体におけるガス流入部及びガス流出部とユニオン式管継手との継手部位、及びリードスイッチを作動させる特定の作動位置を外囲するガスメータ用保護カバー器具が知られている。
当該ガスメータ用保護カバー器具は、特許文献１の図４、５、６に示すように、ガスメータの表示部が設けられるガスメータ前部と、ガスメータの一対の側部の前方側と、ガスメータ頂部の前方側とを覆う前方側カバー部材を備えると共に、ガスメータ後部と、ガスメータの一対の側部の後方側と、ガスメータの頂部の後方側とを覆う後方側カバー部材とを備え、当該前方側カバー部材と後方側カバー部材とが一対の側面のうち一方側に対向する部位にて蝶番にて揺動可能に連結されると共に、前方側カバー部材と後方側カバー部材とが一対の側面の他方側に対向する部位に設けられる錠前取付部に取付けられる南京錠により施錠されるように構成されている。
【先行技術文献】
【特許文献】
【０００６】
【特許文献１】特許第４８３８５６１号公報
【発明の概要】
【発明が解決しようとする課題】
【０００７】
ガスメータは、ガスメータ後部が家屋の壁面等に近接して設置される場合が多いが、上記特許文献１に開示のガスメータ用保護カバー器具では、後方側カバー部材が、ガスメータの前後方向において、一定の厚み（ガスメータ頂部の後方側に対向する部位の厚み、及びガスメータの一対の側部の後方側に対向する部位の厚み）を有するため、当該後方側カバー部材を、ガスメータと家屋の壁面等の間に配置し難い場合があった。
【０００８】
そこで、上記特許文献１に開示の技術の改良発明として、本願の図１４、１５に示すようなガスメータ用保護カバー器具が実施され公知となっている。
当該図１４、１５に示すガスメータ用保護カバー器具は、主には、ガスメータ側部に対向する一対の側面４２、４３と、ガスメータ頂部４１に対向する天面４１と、ガスメータ前部に対向する前面４４とを有するカバー本体４０と、ガスメータ後部に対向する状態でカバー本体４０に着脱自在な裏蓋６０とを備えている。尚、図１４、１５においては、説明の都合上、ガスメータを図示していない。
当該裏蓋６０は、平板状の平板状部材６０ａと、当該平板状部材６０ａに対して揺動自在な一対の揺動板６３、６４とから構成されている。一対の揺動板６３、６４は、裏蓋６０の装着姿勢（図１４に示す姿勢）において、平板状部材６０ａの水平方向での一方端に設けられる揺動軸６５回りで揺動自在な一方側揺動板６４と、平板状部位材６０ａの水平方向での他方端に設けられる揺動軸６６回りで揺動自在な他方側揺動板６３とから構成されており、一方側揺動板６４と他方側揺動板６３とには、長穴部６３ａ、６４ａが形成されている。
カバー本体４０の一対の側面４２、４３の双方には、一方側揺動板６４と他方側揺動板６３とに形成された長穴部６３ａ、６４ａを挿通可能な挿通部位９５が設けられており、当該挿通部位９５は、長穴部６３ａ、６４ａに挿通している状態で、図示しない鍵により回転操作されることにより、カバー本体４０の一方側側面４３に一方側揺動板６４をロックすると共に、カバー本体４０の他方側側面４２に他方側揺動板６３をロックする。即ち、一方側揺動板６４及び他方側揺動板６３の長穴部６３ａ、６４ａと、一対の挿通部位９５とが、ロック機構として機能する。
【０００９】
上述したように、ガスメータは、ガスメータ後部が家屋の壁面等に近接して設置される場合が多いが、このような設置状態のガスメータに対し、上述した図１４、１５に示すガスメータ用保護カバー器具を装着する場合、その裏蓋６０を、ガスメータ前部から取り付ける必要があり、このような取り付け方法によっては、裏蓋６０がカバー本体４０に対して正常装着姿勢にない非正常装着姿勢（例えば、裏蓋６０がカバー本体４０の裏側に対して隙間が生じた装着姿勢）でロック機構により施錠される場合があり、この場合には、カバー本体４０と裏蓋６０との隙間からガスメータのユニオン式管継手等の操作部位に対して特定操作される虞があった。
また、ロック機構の挿通部位９５が、一方側揺動板６４及び他方側揺動板６３の長穴部６３ａ、６４ａに、一対の挿通部位９５が挿通されない状態で、回転操作される場合があり、この場合には、ガスメータ用保護カバー器具をガスメータに装着するガス供給事業者が、ロック機構が非施錠状態にあるにもかかわらず、ロック機構が施錠状態にあると誤認して、ロック機構を施錠状態にしないまま、放置してしまう虞があった。
【００１０】
本発明は、上述の課題に鑑みてなされたものであり、その目的は、ガスメータのカバー本体に対して裏蓋が正常な装着姿勢である正常装着姿勢にあるときに、裏蓋のカバー本体に対する非施錠状態から施錠状態への移行を許容すると共に、カバー本体に対して裏蓋が正常な装着姿勢でない非正常装着姿勢にあるときに、裏蓋のカバー本体に対する非施錠状態から施錠状態への移行を禁止するガスメータ用保護カバー器具を提供する。
【課題を解決するための手段】
【００１１】
上記目的を達成するためのガスメータ用保護カバー器具は、
流入部から流出部へ通流するガスを計測する計測部を備えたガスメータの操作部位への特定操作を防止するガスメータ用保護カバー器具であって、その特徴構成は、
前記ガスメータの側部に対向する一対の側面と、前記ガスメータの頂部に対向する天面と、前記ガスメータの表示部が設けられる前面に対向する前面とを有するカバー本体と、
前記ガスメータの後面に対向する状態で、前記カバー本体に着脱自在な裏蓋と、
前記カバー本体に対して前記裏蓋が正常な装着姿勢である正常装着姿勢に位置している場合に、前記裏蓋と前記カバー本体とが施錠されていない非施錠状態から施錠されている施錠状態への移行を許容し、前記カバー本体に対して前記裏蓋が前記正常装着姿勢でない非正常装着姿勢にある場合に、前記非施錠状態から前記施錠状態への移行を禁止するロック機構を備え、
前記ロック機構は、前記裏蓋の内面に沿う沿線方向に延びる受口を形成する受部を前記裏蓋に備えると共に、前記正常装着姿勢において前記施錠状態にあるときに、前記沿線方向に沿って延びる爪部を前記カバー本体に備え、前記正常装着姿勢において、爪部が受口に嵌入して係止する形態で前記施錠状態とする点にある。
【００１２】
上記特徴構成によれば、ロック機構は、裏蓋の内面に沿う沿線方向に延びる受口を形成する受部を裏蓋に備えると共に、正常装着姿勢において施錠状態にあるときに、沿線方向に延びる爪部をカバー本体に備え、正常装着姿勢において、爪部が受口に嵌入して係止する形態で施錠状態とする構成を採用している。
即ち、上記特徴構成によれば、受口と爪部とは、正常装着姿勢で施錠状態にあるときに、両者とも、裏蓋の内面に沿う沿線方向に延びる形状を有するから、例えば、裏蓋がカバー本体に対して正常装着姿勢でない非正常装着姿勢にある場合（例えば、裏蓋の内面の成す角度が、正常装着姿勢にある裏蓋の内面の成す角度と異なるズレ角度である場合）で、ロック機構が非施錠状態から施錠状態へ移行するときには、ズレ角度により、爪部が、裏蓋の内面に沿う沿線方向に沿う状態でなくなるため、爪部が受口の入口近傍等に当接することとなり、受口に爪部が嵌入することが防止できる。
特に、受口と爪部とを、正常装着姿勢で施錠状態にあるときに、例えば、両者とも、裏蓋の内面に沿う沿線方向に十分に長く延びる形状とすることで、ズレ角度が小さい場合、即ち、正常装着姿勢から少しでもズレている場合にも、受口と爪部とが当接する状態を実現でき、正常装着姿勢にないときに、非施錠状態から施錠状態への移行を良好に禁止できる。
【００１３】
ガスメータ用保護カバー器具の更なる特徴構成は、
前記裏蓋は、平面状の内面である平面状内面を有しており、
前記受部は、前記平面状内面に固定される脚部位と、前記脚部位に支持されると共に前記平面状内面に沿う前記沿線方向に延びる延設部位とを、前記裏蓋の前記平面状内面と前記延設部位との間に前記受口を形成する状態で備え、
前記爪部は、前記正常装着姿勢にある場合で、前記非施錠状態と前記施錠状態との間で状態変更するときに、前記平面状内面と前記延設部位とに沿って移動する形態で、前記受部の前記受口に対して嵌入及び脱離すると共に、前記非正常装着姿勢にある場合で、前記非施錠状態と前記施錠状態との間で状態変更するときに、前記延設部位に当接するように、回転移動自在に構成されている点にある。
【００１４】
上記特徴構成によれば、裏蓋を平面状の内面である平面状内面を有するものとし、受部を、平面状内面に固定される脚部位と、脚部位に支持されると共に平面状内面に沿う沿線方向に延びる延設部位とを、裏蓋の平面状内面と延設部位との間に受口を形成する状態で備えると共に、ロック機構の爪部を、正常装着姿勢にある場合で、非施錠状態と施錠状態との間で状態変更するときに、平面状内面と延設部位とに沿って移動する形態で、回転移動自在に構成されているから、例えば、平面状内面と延設部位との間の距離を十分に狭い幅にすることで、裏蓋が正常装着姿勢から少しでもズレた姿勢にあるときには、より的確に、非施錠状態から施錠状態への状態移行を禁止できる。
【００１５】
ガスメータ用保護カバー器具の更なる特徴構成は、
前記延設部位には、前記非施錠状態から前記施錠状態へ移行するときの前記爪部の嵌入側の端部に、前記爪部の前記受口への嵌入を案内する案内部位が設けられ、当該案内部位と前記平面状内面との間の距離は、前記平面状内面と前記延設部位との間の距離より大きく設定される点にある。
【００１６】
これまで説明してきたように、本発明のガスメータ用保護カバー器具は、裏蓋が正常装着姿勢からズレた姿勢にある場合に、爪部の受口への嵌入を禁止し、施錠状態から非施錠状態への状態移行を禁止するものである。しかしながら、カバー本体に対して裏蓋が正常装着姿勢から少しでもズレている場合にも、爪部の受口への嵌入を禁止してしまうと、操作性が悪くなる虞がある。
そこで、上記特徴構成によれば、延設部位で、非施錠状態から施錠状態へ移行するときの爪部の嵌入側の端部に、爪部の受口への嵌入を案内する案内部位を設け、当該案内部位と平面状内面との間の距離を、平面状内面と延設部位（案内部位が設けられた部位以外の延設部位）との間の距離より大きく設定することで、カバー本体に対して裏蓋が正常装着姿勢から少しだけズレている場合には、爪部が当該案内部位に当接して摺動する形態で、非正常姿勢にある裏蓋を正常装着姿勢へ姿勢矯正することができ、当該姿勢矯正により正常装着姿勢となった裏蓋を、カバー本体に対して適切に施錠できる。
【００１７】
ガスメータ用保護カバー器具の更なる特徴構成は、
前記ロック機構は、
鍵の挿入及び回転操作に伴って回転する回転部と、当該回転部の回転に伴って回転する前記爪部とを、前記カバー本体の前記側面に備え、
前記爪部は、前記側面の直交方向に沿う回転軸回りで回転自在に構成されている点にある。
【００１８】
上記特徴構成によれば、通常裏蓋の平面状内面に対して直交する状態で備えられるカバー本体の側面に対し回転部と、回転部の回転に伴って回転する爪部とを備えるから、回転部の回転軸を側面に直交方向に沿う方向とすることで、正常装着姿勢にある爪部を、容易に、裏蓋の平面状内面に沿う沿線方向に延びる状態とできる。
【００１９】
ガスメータ用保護カバー器具の更なる特徴構成は、
前記ロック機構は、前記回転部と前記爪部との固定部位を備えると共に、前記施錠状態において前記固定部位の前記天面側及び前記天面と逆側を覆い保護する外囲保護部を備える点にある。
【００２０】
現在、ガスメータとしては、複数種のものが知られており、夫々はその外形が少しずつ異なっているが、ガスメータ保護カバー器具は、それら外形の異なるガスメータを外囲する形状とされるため、装着されるガスメータによっては、例えば、天面の流入部及び流出部とガス配管との接続部に対応する部位や、天面と逆側の部位には、若干の隙間が生じる場合がある。この場合、当該隙間から操作治具を侵入させられ、回転部と爪部との固定部位を操作され、ロック機構が破錠される虞がある。
そこで、上記特徴構成によれば、ロック機構として、施錠状態において固定部位の天面側及び天面と逆側を覆い保護する外囲保護部を備えることで、ガスメータとガスメータ用保護カバー器具との間の隙間から操作治具が侵入され、ロック機構が破錠されることを良好に防止している。
【図面の簡単な説明】
【００２１】
【図１】ガスメータ用保護カバー器具を透過状態として、ガスメータの略正面からの立体斜視図
【図２】ガスメータにガスメータ用保護カバー器具を備えた状態の略背面からの立体斜視図
【図３】ガスメータ用保護カバー器具の分解斜視図、及び一部拡大図
【図４】カバー本体に対する裏蓋の非正常装着姿勢を示す斜視図
【図５】非正常装着姿勢で非施錠状態にある磁気姿勢維持手段及びロック機構を示す斜視図
【図６】カバー本体に対する裏蓋の正常装着姿勢を示す斜視図
【図７】正常装着姿勢で施錠状態にある磁気姿勢維持手段及びロック機構を示す斜視図
【図８】図５に対応する姿勢及び状態での磁気姿勢維持手段及びロック機構を示す一部断面平面図
【図９】図７に対応する姿勢及び状態でのロック機構を示す一部断面平面図
【図１０】図７に対応する姿勢及び状態でのロック機構を示す一部断面平面図
【図１１】図７に対応する姿勢及び状態でのロック機構を示す一部断面平面図
【図１２】カバー本体に対する裏蓋の非正常装着姿勢を示す斜視図
【図１３】図１２に示す非施錠装着姿勢で非施錠状態から施錠状態への状態変更の途中を示す一部断面平面図
【図１４】装着姿勢で施錠状態にある従来技術のガスメータ用保護カバー器具の立体斜視図
【図１５】非装着姿勢で非施錠状態にある従来技術のガスメータ用保護カバー器具の立体斜視図
【発明を実施するための形態】
【００２２】
以下、本実施形態に係るガスメータ用保護カバー器具１００の実施形態について図面に基づいて説明する。本発明に係るガスメータ用保護カバー器具１００は、カバー本体４０に対して裏蓋６０が正常な装着姿勢である正常装着姿勢（図６に例示する姿勢）にあるときに、裏蓋６０のカバー本体４０に対する非施錠状態（図５に示す状態）から施錠状態（図７に実線で示す状態）への移行を許容すると共に、カバー本体４０に対して裏蓋６０が正常な装着姿勢でない非正常装着姿勢（図４に例示する姿勢）にあるときに、裏蓋６０のカバー本体４０に対する非施錠状態から施錠状態への移行を禁止し得るものである。
そこで、まず、ガスメータ２０の基本的な構成に関し、説明した後、本実施形態に係るガスメータ用保護カバー器具１００の構成について説明する。
【００２３】
〔ガスメータ〕
図１、２に示すように、ガス配管１３、１４を通じて需要家へ供給されるガスを計量するためのガスメータ２０は、ガスメータ本体１０の頂部にガスが流入するガス流入部１１とガスが流出するガス流出部１２とが設けられている。当該ガス流入部１１及びガス流出部１２の夫々が、ユニオン式管継手１５、１６により、一次側ガス配管１３及び二次側ガス配管１４の夫々に接続された状態で配置されている。
当該ガスメータ２０は、ガス流入部１１及びガス流出部１２に亘るガス流路（図示せず）に、公知の方法でガスを計量するように構成された計量部（図示せず）が設けられており、マイクロコンピュータからなる制御部（図示せず）が、計量部による計量結果を積算流量として、ガスメータ前部に設けられる表示部２１に表示するように構成されている。ガス供給業者は、その積算流量から算出したガス料金を需要家に課金する。
【００２４】
ガスメータ本体１０は、上方側本体１０ａと下方側本体１０ｂとの上下二分割で構成されており、下方側本体１０ｂの内部に、上述の計量部が配置されており、上方側本体１０ａの内部には、ガス流路におけるガス流通を遮断可能な遮断弁（図示せず）、上方側本体１０ａの表面上の作動位置１８ａ（操作部位の一例）への磁界の付加により作動するリードスイッチ１８、リードスイッチ１８の作動に伴って遮断弁を制御する制御部が配置されている。また、上方側本体１０ａの前部には、積算流量が表示される上述の表示部２１、復帰ボタン１９（操作部位の一例）等が配置されている。尚、上記遮断弁は、制御部により図示しないソレノイドが励磁されている間は開栓状態となり、逆に、制御部によりソレノイドが励磁されていない間は閉栓状態となるように構成されている。
【００２５】
リードスイッチ１８は、上方側本体１０ａの表面上の特定の作動位置１８ａの内部に配置され、その作動位置１８ａに磁石３０が近づけられ、作動位置１８ａに磁界が付加されると作動して、制御部に作動信号を送信し、作動信号を受けた制御部は、ソレノイドを励磁して遮断弁を閉栓状態とするように構成されている。
復帰ボタン１９は、ガスメータ２０の前部側から押圧可能に配置されており、当該復帰ボタン１９が押圧されることにより、制御部がソレノイドの励磁を解除して、遮断弁を開栓状態とするように構成されている。
つまり、ガスメータ２０では、リードスイッチ１８への操作、及び復帰ボタン１９の操作とにより、遮断弁の開閉制御を行うことで、需要家へのガスの供給を休止させる休止操作、及び需要家へのガスの供給を復帰させる復帰操作を実行可能に構成されている。
尚、休止操作及び復帰操作における制御部による具体的制御については、公知であるので詳細な説明を割愛する。
【００２６】
以上のように、ガスメータ２０には、操作部位として、リードスイッチ１８の上方側本体１０ａの表面側にある特定の作動位置１８ａや、復帰ボタン１９等が設けられており、第三者によりこれらの操作部位への上述した操作（特定操作の一例）が実行されることを防止するべく、本発明のガスメータ用保護カバー器具１００が、ガスメータ２０の上方側本体１０ａを外囲する状態で、備えられる。
【００２７】
〔ガスメータ用保護カバー器具〕
ガスメータ用保護カバー器具１００は、図１、２、３に示すように、ガスメータ側部に対向する一対の側面４２、４３と、ガスメータ頂部に対向する天面４１と、ガスメータ２０の表示部２１が設けられるガスメータ前部に対向する前面４４とを有するカバー本体４０を備えると共に、ガスメータ後部に対向する状態でカバー本体４０に着脱自在な裏蓋６０とを備えている。
カバー本体４０は、その天面４１に一対の切欠部４１ａ、４１ｂを備え、その前面４４に開口部４４ａを備えている。カバー本体４０は、当該一対の切欠部４１ａ、４１ｂに、一次側ガス配管１３及び二次側ガス配管１４とガス流入部１１及びガス流出部１２との接続部位（ユニオン式管継手１５、１６）を位置させる状態で、且つ、前面４４の開口部４４ａに表示部２１を位置させる状態で、ガスメータ２０に取付けられる。
当該構成により、ガス配管１３、１４と、ガス流入部１１及びガス流出部１２との接続部位は、カバー本体４０の内側に位置することとなり、外部からの操作を抑止できる構成となっている。
更に、カバー本体４０は、図２に示すように、その天面４１に対向する面として底面４５を備えており、当該底面４５により、ガスメータ２０とカバー本体４０との下方側の間隙を十分に小さく保つ構成となっている。
【００２８】
裏蓋６０は、図１、２に示すように、カバー本体４０への正常装着姿勢（図２、６に例示する姿勢）において、ガスメータの２０の上方側本体１０ａの後部に対向する位置に取付けられる。当該裏蓋６０は、図３に示すように、正常装着姿勢において内面側（ガスメータ２０側）に、平板状の内面である平面状内面６０ａを有し、当該平面状内面６０ａには、平面状内面６０ａがガスメータ２０と当接して損傷することを防止するための平板状の弾性部材６２が設けられている。
また、裏蓋６０は、平面状内面６０ａのガスメータ２０の天面４１に対向する部位に、正常装着姿勢において、天面４１の内面側（ガスメータ２０側）に当接し、裏蓋６０のカバー本体４０に対する上下方向（図１、２で矢印Ｚに沿う方向）での位置決めを行う位置決め部６１を有する。
尚、ここで、『正常装着姿勢』とは、裏蓋６０の平面状内面が６０ａが、カバー本体４０の一対の側面４２、４３に直交する方向に沿う姿勢であると共に、裏蓋６０のカバー本体４０の一対の側面４２、４３に近接する一方側端部と他方側端部の夫々が、一対の側面４２、４３に沿う状態であり、裏蓋６０のカバー本体４０の平面状内面が鉛直方向（矢印Ｚに沿う方向）に沿う方向にある状態であるものとする。
【００２９】
＜ロック機構＞
当該カバー本体４０及び裏蓋６０には、図３、５、７、８、９に示すように、カバー本体４０に対して裏蓋６０が正常な装着姿勢である正常装着姿勢（図２、６に例示する姿勢）に位置している場合に、裏蓋６０とカバー本体４０とが施錠されていない非施錠状態（図５、８に示す状態）から施錠されている施錠状態（図７、９に実線で示す状態）への移行を許容し、カバー本体４０に対して裏蓋６０が正常装着姿勢でない非正常装着姿勢（図３、４に例示する姿勢）にある場合に、非施錠状態から施錠状態への移行を禁止するロック機構８０を備える。
当該ロック機構８０は、裏蓋６０の平面状内面６０ａに沿う延設方向（例えば、図７で矢印Ｘに沿う方向であり、当該実施形態にあっては、天面４１と平行な方向）に延びる受口を形成する受部を裏蓋６０に備えると共に、正常装着姿勢において施錠状態にあるときに、裏蓋６０の平面状内面６０ａに沿う延設方向に爪部８４をカバー本体４０に備えている。
【００３０】
爪部８４に関し、説明を加えると、カバー本体４０の側面４３には、鍵８８の挿入及び回転操作に伴って回転する回転部８５が備えられ、爪部８４は、当該回転部８５の回転に伴って回転する回転軸ボルト８６ａ（固定部位の一例）に対して螺合するナット８６ｂ（固定部位の一例）と回転部８５との間で、挟持固定される形態で、回転部８５の回転に伴って回転（図５に示す状態と図７に実線で示す状態との間での矢印Ｐ１に沿う回転）するように備えられている。
爪部８４は、カバー本体４０の側面４３の直交方向（図３で矢印Ｘに沿う方向）に沿う回転軸（図５、７でＰ０）回りで回転自在に構成されており、図７に示す施錠状態にあっては、裏蓋６０の平面状内面６０ａに沿う平板部を有する形状である。爪部８４は、回転部８５が回転することにより、当該平板部の平板面が水平状となる状態から、垂直状となる状態まで、略９０°回転可能に構成されている。
尚、回転部８５と爪部８４との固定部位（回転軸ボルト８６ａ及びナット８６ｂ）には、施錠状態（図６、７に示す状態）において、固定部位の天面４１側（図６で矢印Ｚの先端側）及び天面４１と逆側（図６で矢印Ｚの基端側）とを覆い保護する外囲保護部８７が設けられている。これにより、天面４１の切欠部４１ａや、天面４１の逆側に設けられる底面４５とガスメータ２０の上方側本体１０ａとの間から、所定の操作治具によりロック機構８０の固定部位が操作され、破錠されることを防止している。
【００３１】
ロック機構８０の受部は、図３、５に示すように、裏蓋６０の平面状内面６０ａに溶接やロウ付け等により固定される脚部位８１と、当該脚部位８１に支持されると共に平面状内面６０ａに沿って延びる延設部位８２とを、当該延設部位８２と平面状内面６０ａとの間に受口を備える形態で備えている。
当該構成により、爪部８４は、正常装着姿勢にある場合で、非施錠状態と施錠状態との間で状態変更するときに、平面状内面６０ａと延設部位８２とに沿って移動する形態で、受部の受口に対して嵌入及び脱離すると共に、非正常装着姿勢にある場合で、非施錠状態と施錠状態との間で状態変更するときに、延設部位８２に当接するように、回転移動することとなる。
更に、延設部位８２には、非施錠状態から施錠状態へ移行する爪部８４の嵌入が開始される側の端部（図３、５、１１で矢印Ｚの基端側の端部）に、爪部８４の受口への嵌入を案内する案内部位８３（延設部位８２は、案内部位８２以外の部位を意味するものとし、案内部位８２を含まないものとする）が設けられ、当該案内部位８３と平面状内面６０ａとの間の距離（図１１で、Ｌ４）は、平面状内面６０ａと延設部位８２との間の距離（図１１で、Ｌ２）より大きく設定されている。ここで、案内部位８３と平面状内面６０ａとの間の距離は、図１１に示すように、爪部８４の嵌入が開始される側（図３、５、１１で矢印Ｚの基端側）ほど、幅広に設定されている。つまり、案内部位８３は、図１１に示すように、側面からの側方断面視において、延設部位８２に対して所定の広がり角度（図１１でαで示す角度）で、裏蓋６０の平面状内面６０ａの側から離間する方向に向けて設けられている。
これにより、裏蓋６０が正常装着姿勢（図６に示す姿勢）から少しズレた非正常装着姿勢（例えば、図４に示す様な姿勢）にある場合であっても、ロック機構８０が非施錠状態から施錠状態へ状態移行するときに、爪部８４が案内部位８３に案内される形態で受口に嵌入することで、裏蓋６０を非正常装着姿勢から適正な正常装着姿勢へ姿勢矯正することができ、その後、ロック機構８０を適正な施錠状態へ状態移行できる。
尚、当該ロック機構８０にあっては、図１０に示すように、正常装着姿勢において、施錠状態にあるときに、爪部８４が、裏蓋６０の平面状内面６０ａに沿う延設方向で十分に長い延設長さ（図１０でＬ３）を有すると共に、受口の延設部位８２についても、裏蓋６０の平面状内面６０ａに沿う延設方向で十分に長い延設長さ（図１０でＬ１）を有している。
当該延設長さは、長ければ長いほど、裏蓋６０の平面状内面６０ａの正常装着姿勢からズレた姿勢における非施錠状態から施錠状態への状態移行の許容度を小さくできる。
当該実施形態においては、図１０に示す正常装着姿勢において、少なくとも裏蓋６０の内面に設けられる弾性部材６２に干渉しない状態で、夫々の長さが設定されている。
当該構成を採用することにより、図１２に示すような非正常装着姿勢において、非施錠状態から施錠状態へ状態移行する場合、爪部８４と延設部位８２とが当接することとなり、適切に非施錠状態から施錠状態への状態移行を禁止できる。
【００３２】
＜磁気姿勢維持手段＞
上述の如く、ロック機構８０は、カバー本体４０に対する裏蓋６０の施錠状態と非施錠状態とを切り換えるものであるが、ロック機構８０が、非施錠状態から施錠状態へ状態変更した場合、即ち、爪部８４の受口への嵌入及び係止が解除された場合、裏蓋６０の平面状内面６０ａに設けられる弾性部材６２の弾性力により、裏蓋６０がガスメータ２０の上方側本体１０ａと離間する側へ付勢されることとなり、場合によっては、カバー本体４０から脱離し、下方へ落下する虞がある。
そこで、当該実施形態に係るガスメータ用保護カバー器具１００にあっては、裏蓋６０がカバー本体４０への正常装着姿勢にあるときに、ロック機構８０が施錠状態から非施錠状態へ状態変更した際に、カバー本体４０と裏蓋６０とを磁力により互いに引き合わせる形態で、裏蓋６０のカバー本体４０への正常装着姿勢を維持する磁気姿勢維持手段７０を備えている。
説明を追加すると、当該磁気姿勢維持手段７０は、磁場を発生する永久磁石７１（強磁性体の一例）と、当該永久磁石７１の磁場により発生する磁力により前記永久磁石７１の側へ引き付けられる金属板７２（磁性体の一例）とから構成されている。
当該実施形態に係るガスメータ用保護カバー器具１００においては、永久磁石７１を支持する磁石支持体７１ａを裏蓋６０の平面状内面６０ａに溶接又はロウ付け等により固定し、永久磁石７１は、当該磁石支持体７１ａへボルト等により固定する状態で備え、金属板７２は、カバー本体４０の側面４３の内面に溶接又はロウ付け等により固定される金属支持体７２ａへ、溶接又はロウ付け等により固定する状態で備えている。
永久磁石７１及び金属板７２は、裏蓋６０のカバー本体４０への正常装着姿勢（図６に示す姿勢）において、図７に示すように、互いに近接して対向する配置状態となる。
以上の構成により、裏蓋６０がカバー本体４０に対して正常装着姿勢にあるときに、ロック機構８０が、図７に実線で示す施錠状態から図５に示す非施錠状態へ状態変更する場合、磁気姿勢維持手段７０による磁力が、弾性部材６２の弾性力に抗って、正常装着姿勢を維持する形態で、裏蓋６０のカバー本体４０からの脱離及び落下を防止できる。
【００３３】
尚、装着姿勢で、施錠状態にあるときには、金属板７２の永久磁石７１に対向する平面と、永久磁石７１の金属板７２に対向する平面と、裏蓋６０の平面状内面６０ａとは、互いに平行である。
【００３４】
＜ロック機構の設置箇所、係止部位等の説明＞
ロック機構８０は、施錠状態において、カバー本体４０の一対の側面４２、４３の一方側（図３で矢印Ｘの先端側）である一方側側面４３の近傍に設けられている。当該構成では、図１４、１５に示す構成の如く、ロック機構８０を一方側と他方側との双方に設けていないため、簡素な構成となる。しかしながら、当該構成においては、ロック機構８０の施錠状態において、カバー本体４０の一対の側面４２、４３の他方側から裏蓋６０が脱離してしまう虞がある。
そこで、当該実施形態に係るガスメータ用保護カバー器具１００にあっては、正常装着姿勢における裏蓋６０の他方側端部を、カバー本体４０の一対の側面の他方側である他方側側面４２に係止する第１係止部位５１及び第２係止部位５２とを備えており、当該第１係止部位５１と第２係止部位５２とが係止部位として機能する。
説明を追加すると、当該第１係止部位５１及び第２係止部位５２は、図３に示すように、カバー本体４０の他方側側面４２の裏蓋６０側において、他方側側面４２に直交する方向へ延設する形態で設けられており、裏蓋６０の他方側端部は、非正常装着姿勢（図４に例示する姿勢）から正常装着姿勢（図６に例示する姿勢）へ姿勢変更する際に、第１係止部位５１と第２係止部位５２により、弾性部材６２の弾性力が働く方向で、挟持されることとなる。即ち、裏蓋６０の他方側端部は、カバー本体４０の前面４３に直交する前後方向において、第１係止部位５１の前面側に位置すると共に、第２係止部位５２の前面側と逆側に位置することとなる。
これにより、正常装着姿勢において、ロック機構８０が施錠状態から非施錠状態へ状態変更した際に、裏蓋６０の他方側端部が弾性部材６２の弾性力により、カバー本体４０から脱離することを防止できる。
ここで、磁気姿勢維持手段７０は、ロック機構８０の近傍に設けられるものとする。ここで、『ロック機構８０の近傍』とは、カバー本体４０の一対の側面４２、４３の直交方向に沿う方向において、一対の側面４２、４３から等距離にある中央部位よりも、ロック機構８０側を意味するものとする。
尚、当該実施形態では、図３に示すように、装着姿勢では、カバー部材４０の一対の側面４２、４３に直交する直交方向（図３で矢印Ｘに沿う方向）において、磁気姿勢維持手段７０は、ロック機構８０と略同一位置にあり、直交方向に直交する鉛直方向（図３で矢印Ｚに沿う方向）において、磁気姿勢維持手段７０がロック機構８０の上方側でカバー部材４０の天面４１の下方側に位置するものとする。
【００３５】
＜案内支持部位等＞
当該実施形態に係るガスメータ用保護カバー器具１００は、図３、４に示すように、カバー本体４０の他方側側面４２の近傍に、非正常装着姿勢から正常装着姿勢への姿勢変更の際に、裏蓋６０を第１係止部位５１及び第２係止部位５２への係止状態へ案内すると共に、鉛直方向に沿う方向（図３、４で矢印Ｚに沿う方向）の下方側から裏蓋６０を支持する第１案内支持部位５３を備える。
当該第１案内支持部位５３と、第１係止部位５１と、第２係止部位５２とは、カバー本体４０の他方側側面４２に接触する状態で底面４５に溶接又はロウ付けにより固定される一枚の板状部材を、切断及び屈曲して形成されている。即ち、当該第１案内支持部位５３と、第１係止部位５１と、第２係止部位５２とは、一体成型されており、部品点数を減少を図っている。
【００３６】
更に、図３、６に示すように、カバー本体４０の一方側側面４３の近傍に、非正常装着姿勢から正常装着姿勢への姿勢変更の際に裏蓋６０を磁気姿勢維持手段７０の磁力が及ぶ位置へ案内するとともに、鉛直方向に沿う方向の下方側から裏蓋６０を支持する第２案内支持部位５４を備えている。
当該第２案内支持部位５４は、カバー本体４０の一方側側面４３に接触する状態で、カバー本体４０の底面４５に溶接又はロウ付けにより固定される板状部材にて形成されている。尚、当該板状部材には、屈曲されることにより、正常装着姿勢にある裏蓋６０の平面状内面６０ａに当接する当接部位９２が設けられている。
当該第２案内支持部位５４は、カバー本体４０の一方側側面４３に接触する状態で、カバー本体４０の底面４５に溶接又はロウ付けにより固定される板状部材が屈曲され形成される段部により形成される。尚、当該板状部材には、装着姿勢にある裏蓋６０の平面状内面６０ａに当接する当接部位９２が設けられている。当該当接部位９２は、装着姿勢にある裏蓋６０の平面状内面６０ａと平行な平面を有する。
また、カバー本体４０の一方側側面４３の近傍で、天面４１の内面には、板状部材９１が溶接又はロウ付けにより固定されており、当該板状部材９１は、正常装着姿勢にある裏蓋６０の平面状内面６０ａに当接して、裏蓋６０の位置決めを良好に行っている。
以上の構成により、裏蓋６０は、カバー本体４０に対して適切に位置決めされ係止された状態で、非正常装着姿勢から正常装着姿勢へ姿勢変更することとなる。
【００３７】
以上の構成を採用することにより、ガスメータ２０は、カバー本体４０と裏蓋６０とにより適切に外囲されることとなり、その操作部位としての、リードスイッチ１８の表面側にある特定の作動位置１８ａや復帰ボタン１９等が、外部から隔離できることとなる。
尚、図示は、省略するが、カバー本体４０の内面の作動位置１８ａの対向部位には、カバー本体４０の外部から内部への磁気の侵入を防止する磁気侵入防止部材が貼り付けられており、カバー本体４０の外部からの磁石によるリードスイッチ１８の操作を良好に防止している。
【００３８】
〔別実施形態〕
（１）上記実施形態にあっては、図７、９に示されるように、施錠状態にある爪部８４及び受部としての延設部位８２は、裏蓋６０の平面状内面６０ａに沿う平板形状である構成例を示した。しかしながら、当該爪部８４及び延設部位８２との双方は、正常装着姿勢において、施錠状態にあるときに、裏蓋６０の平面状内面６０ａに沿う延設方向で十分に長い延設長さを有するものであれば、上記実施形態に示した形状に限らず、種々の形状のものを採用できる。
【００３９】
（２）上記実施形態では、強磁性体としての永久磁石７１が裏蓋６０に固定され、磁性体としての金属板７２がカバー本体４０に固定される例を示した。しかしながら、永久磁石７１がカバー本体４０に固定されると共に、金属板７２が裏蓋６０に固定される構成を採用しても構わない。尚、当該構成を採用する場合において、裏蓋６０を金属から構成するときには、裏蓋６０に直接永久磁石７１の磁力が及ぶように構成しても構わない。
また、磁性体として金属板７２を適用する例を示したが、別に、当該磁性体は永久磁石等の強磁性体であっても構わない。この場合、裏蓋６０のカバー本体４０への正常装着姿勢において、Ｓ極とＮ極とが対向する状態で、双方の強磁性体を配設することとなる。
【００４０】
（３）上記実施形態では、磁気姿勢維持手段７０は、カバー本体４０と裏蓋６０とを磁力により引き合わせる形態で、設ける例を示した。しかしながら、磁気姿勢維持手段７０は、ガスメータ２０と裏蓋６０とを磁力により引き合わせる形態で、設ける構成を採用しても構わない。
【００４１】
（４）上記実施形態にあっては、ロック機構８０は、カバー本体４０の一対の側面４２、４３の一方側である一方側側面４３の近傍のみに設ける構成を示した。しかしながら、当該構成に替えて、カバー本体４０の一対の側面４２、４３の双方の近傍にロック機構８０を設ける構成を採用しても構わない。当該構成を採用する場合、磁気姿勢維持手段７０は、双方のロック機構８０の近傍に１つづつ設ける構成を採用することが好ましい。
【００４２】
（５）上記実施形態では、磁気姿勢維持手段７０は、カバー本体４０と裏蓋６０とを磁力により引き合わせる構成を励磁したが、別に、ガスメータ２０と裏蓋６０とを磁力により引き合わせる構成を採用しても構わない。この場合、永久磁石７１及び金属板７２の何れか一方を、ガスメータ２０の上方側本体１０ａに備えると共に、永久磁石７１及び金属板７２の何れか他方を、裏蓋６０に備えることとなる。
【００４３】
（６）上記実施形態において、第２案内部位５４は設けなくても構わない。
【００４４】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４５】
本発明のガスメータ用保護カバー器具は、ガスメータのカバー本体に対して裏蓋が正常な装着姿勢である正常装着姿勢にあるときに、裏蓋のカバー本体に対する非施錠状態から施錠状態への移行を許容すると共に、カバー本体に対して裏蓋が正常な装着姿勢でない非正常装着姿勢にあるときに、裏蓋のカバー本体に対する非施錠状態から施錠状態への移行を禁止するガスメータ用保護カバー器具として、有効に利用可能である。
【符号の説明】
【００４６】
１１      ：ガス流入部
１２      ：ガス流出部
２０      ：ガスメータ
２１      ：表示部
４０      ：カバー本体
４１      ：天面
４４      ：前面
６０      ：裏蓋
６０ａ    ：平面状内面
６２      ：弾性部材
８０      ：ロック機構
８１      ：脚部位
８２      ：延設部位
８３      ：案内部位
８４      ：爪部
８５      ：回転部
８７      ：外囲保護部
８８      ：鍵
１００    ：ガスメータ用保護カバー器具
【図１】
0006448465.tif 000002
【図２】
0006448465.tif 000003
【図３】
0006448465.tif 000004
【図４】
0006448465.tif 000005
【図５】
0006448465.tif 000006
【図６】
0006448465.tif 000007
【図７】
0006448465.tif 000008
【図８】
0006448465.tif 000009
【図９】
0006448465.tif 000010
【図１０】
0006448465.tif 000011
【図１１】
0006448465.tif 000012
【図１２】
0006448465.tif 000013
【図１３】
0006448465.tif 000014
【図１４】
0006448465.tif 000015
【図１５】
0006448465.tif 000016